(57)【要約】      （修正有）【課題】幅広い角度から確認することができる商品札を提供する。【解決手段】札本体に、少なくとも三条の折れ線６を平行に形成し、この折れ線６を介した複数の表示面１ａ，１ｂ，１ｃと、重合面１ｄと、を有し、前記表示面に所定の印字を施し、この印字された面を表面として折れ線から折り曲げて、前記重合面を前記表示面の裏面とに重ねて貼着したことを特徴とする。【選択図】      図１
2004151569.tif 000002
【特許請求の範囲】
【請求項１】
札本体に、少なくとも三条の折れ線を平行に形成し、この折れ線を介して連接された複数の表示面と、重合面と、を有したことを特徴とする商品札。
【請求項２】
前記札本体に貫通孔を形成したことを特徴とする請求項１記載の商品札。
【請求項３】
前記商品札を連続状に形成してあることを特徴とする請求項１記載の商品札。
【請求項４】
前記札本体の前記表示面とは反対の面に粘着剤を塗布し、この粘着剤を介して台紙に複数仮着してあることを特徴とする請求項１または２記載の商品札。
【請求項５】
札本体に、少なくとも三条の折れ線を平行に形成し、この折れ線を介して連接された複数の印字面と、重合面と、を有し、前記表示面に所定の印字を施し、この印字された面を表面として折れ線から折り曲げて、前記重合面を前記表示面の裏面とに重ねて貼着したことを特徴とする商品札の使用方法。
【請求項６】
前記札本体に貫通孔を形成したことを特徴とする請求項５記載の商品札の使用方法。
【発明の詳細な説明】
【０００１】
【発明の属する技術分野】
本発明は、商品に付される商品札に関し、特に貴金属、メガネなどショーケースの中に置かれる商品あるいはオープンの陳列棚などの商品に付される商品札に関する。
【０００２】
【従来の技術】
一般的に貴金属やメガネなどの商品には、品名、商品番号や価格などを表示するために値札が付されている。この値札は、紙又はプラスチックの札体に品名、商品番号、価格などを印字し、この印字された札体を紐やプラスチック材などの取付糸を札体に穿設された孔へ挿通して商品に取付けられている。
このような商品に取付けられる札体は、札体の中心部に折れ線を形成され、印字装置などで品名、商品番号、価格を印字した後に、予め塗布された粘着剤を内側にして折れ線から折って貼り合わせして値札としている（特許文献１参照）。
【０００３】
【特許文献１】
実開昭５７−２０１５７４号（図１、図２）
【０００４】
【発明が解決しようとする課題】
しかしながら、従来の貼り合わせ値札は、貼り合わせることにより二面の表示しかできないので印字する商品の情報量が限られるという問題がある。
また、値札は水平面に置くことになるので、ショーケース内に置かれた値札は、値札が置かれた上面側からしか確認することができない。さらに、棚などに置かれた値札は、商品や値札自体を持ち上げないと確認ができないので、購買者に商品情報の内容を認識させることに煩わせたりして商品のアピールができないという問題がある。
【０００５】
本発明は、上記問題にかんがみ、商品の情報量を多く表示して、購買意欲を高める商品札を提供することを目的とする。
【０００６】
また、本発明は幅広い角度から確認することができる商品札を提供することを目的とする。
【０００７】
さらにまた、本発明は購買者に商品情報を容易に認識させることに無用な手を煩わせたりすることがない商品札を提供することを目的とする。
【０００８】
【課題を解決するための手段】
本発明は、商品札を立体的な表示をすることに着目したので、札本体に、少なくとも三条の折れ線を平行に形成し、この折れ線を介して連接された複数の表示面と、重合面と、を有したことを特徴とする商品札にある。
【０００９】
上記札において、上記札本体の何れか一辺側の近傍に貫通孔を形成したことを特徴とする。
【００１０】
上記札において、上記札を連続状に形成してあることを特徴とする。
【００１１】
上記札において、上記札本体の前記表示面とは反対の面に粘着剤を塗布し、この粘着剤を介して台紙に複数仮着してあることを特徴とする。
【００１２】
札本体に、少なくとも三条の折れ線を平行に形成し、この折れ線を介して連接された複数の表示面と、重合面と、を有し、前記表示面に所定の印字を施し、この印字された面を表面として折れ線から折り曲げて、前記重合面を前記表示面の裏面とに重ねて貼着したことを特徴とする商品札の使用方法にある。
【００１３】
上記商品札の使用方法において、上記札本体の何れか一辺側の近傍に貫通孔を形成したことを特徴とする。
【００１４】
【本発明の実施の形態】
次に本発明の商品札１の第一の実施の形態を図１乃至図３に基づき説明する。図１は本発明の商品札１の平面図であり、図２は図１のＩＩ―ＩＩ拡大断面図であり、図３は商品札１の使用方法の説明図である。
【００１５】
商品札１は略長方形状を有した札本体２に、略平行に形成された三条の折れ線としてのミシン目６、６、６と、貫通孔７とが形成してある。札本体は２、紙材など印字可能な基材を有し、容易に曲げることが可能な材質であれば何れでもよい。
また、商品札１には一方面（表面）には印字面を有し、他方面（裏面）に粘着剤４が塗布され、この粘着剤４を介して剥離剤５を塗布された長尺状の台紙３に長手方向に複数仮着してある。
各ミシン目６は、長尺状の台紙３と略同一の長手方向に平行に三条形成されている。また、札本体２が仮着されている台紙３の長尺方向の一対の対辺にミシン目６，６，６が平行にしてある。
この三条のミシン目６，６，６を介して連接された印字面としての三つの表示面１ａ、１ｂ、１ｃと、ひとつの貼り合わせ面としての重合面１ｄとが形成してある。なお、重合面１ｄはミシン目６，６，６が形成された方向と同一方向に形成された札本体２の一対の対辺の何れかの一側辺に形成される。
【００１６】
表示面１ａ、１ｂ、１ｃは、夫々略同一の長方形の印字面を有し、また各表示面は略同一に形成されている。
なお、折れ線としてミシン目で説明するが、押圧により形成される筋状の凹部または罫線など任意とすることができる。
【００１７】
このように構成された商品札１は、帯状の台紙３に仮着されているので、図示しない印字装置によって図１の矢印方向に向けて印字される。印字する領域は三つの表示面１ａ、１ｂ、１ｃであり、重合面１ｄには印字しないが、必要に応じて所望の印字を施してもよい。
印字された商品札１は、台紙３から剥離して、印字された面を表向（表面）きにして三条のミシン目６、６、６から折り曲げて重合面１ｄを表示面１ａの裏面側に重ねることにより粘着剤４を介して貼着することにより、立体的（中空の三角柱）な三面の表示面１ａ，１ｂ、１ｃを有した商品札１となる。
なお、本実施の形態では、粘着剤４を商品札１の裏面に塗布するように説明したが、一部分でもよく、この場合には粘着剤４は少なくとも表示面１ａの裏面だけ塗布されていれば良いが、重合面１ｄと表示面１ａの両方であってもよい。
このように、ミシン目６，６，６に平行な札本体２の対辺に形成された表示面１ａと重合面１ｄとを重ねて貼着するようにした。
【００１８】
商品札１は、貫通孔７に糸８を挿通して商品としてのメガネ９に結び付けられて、図示しないがショーケース（図示せず）の中にメガネ９とともに商品札１が入れられる。（図３参照）なお、貫通孔に７に糸を介して商品に付される例を示すが、必ずしも糸を付ける必要がない。
立体的な中空の三角柱を形成した商品札１の使用方法としては、横にして置くことにより、印字された表示面１ｂの面が傾斜状となるので、商品札１の商品情報が幅広い角度で購買者に認識させることができる。
また、商品札１には三つの表示面（印字面）を有しているので、各面の印字された内容により、商品札１の置く面を変えることにより、購買者に対する商品アピールの内容が異なるようにして、所定の期間あるいは季節などにより容易に変更することができ、新たに商品札を印字発行することがなく効率的である。
【００１９】
また、縦方向に印字した中空三角柱の商品札１０（図４参照）の他の使用方法として、鉛直方向に置くことにより二面の表示面を購買者に認識させることができるので、省スペースで多くの商品情報を幅広い方向から認識させることができる。
【００２０】
次に、図５に基づいて商品札１１の第二の実施の形態を説明する。図５は本発明の商品札１１の第二の実施の形態を説明する平面図である。
商品札１１は長方形状を有し、この商品札１１を連続状に形成した長尺状の札が札連続体１２である。札連続体１２には、長手方向と略平行に折れ線としての三条のミシン目１４，１４，１４が形成されている。この三条のミシン目１４，１４，１４を介して、印字面としての三つの表示面１１ａ、１１ｂ、１１ｃと、ひとつの重合面１１ｄとを有している。
また、表示面１１ａ、１１ｂ、１１ｃの何れかのひとつの面に貫通孔１５が所定の間隔で形成されている。第二の実施の形態の貫通孔１５は、貼り合わせ領域１１ｄに隣接された印字領域１１ｃに形成されている。
【００２１】
このように構成した札連続体１２を例えば、ロール状に巻芯（図示せず）などに巻き付け図示しない印字装置に装填して印字することができ、印字された札連続体１２は、印字装置に設けられたカッター機構（図示せず）により所定の間隔で切断され、印字された商品札１１となる。
印字及び切断された札１１には、各表示面１１ａ、１１ｂ、１１ｃには商品名、コード番号、価格、記号やバーコードなどが印字され、また、表示面１１ｃの一側近傍に貫通孔１５が形成されるようにしてある。
印字された商品札１１は、印字された面を表面としてミシン目１４，１４，１４から折り曲げ、重合面１１ｄに粘着剤を塗布して、表示面１１ａの裏面側に重ねることにより中空三角形状の商品札１１となる。
【００２２】
この札連続体１２は、熱により粘着が活性化する感熱粘着剤や水滴などを付けることにより粘着が活性化する粘着剤などを予め塗布してもよく、感熱粘着剤の場合には、札連続体１２を切断後に感熱粘着剤を感熱させて粘着剤を活性化することができる。
このように、カッター装置を備えた印字装置により札連続体１２から単葉の印字された商品札１１が発行され、ミシン目１４，１４，１４から折り曲げることにより立体的な商品札１１ができるので、商品札１１の情報が幅広い角度で認識することができる。
また、前述のように商品札を縦方向に置くことにより二面の表示面を購買者に認識させることができるので、省スペースで多くの商品情報を幅広い方向から認識できる。
【００２３】
次に、図６に基づいて商品札１６の第三の実施の形態を説明する。図６は本発明の商品札１６の第三の実施の形態を説明する平面図である。
商品札１６は、一部突出部を有する略長方形状の札本体１７で形成され、この札本体１７には折れ線としての三条のミシン目１９，１９，１９と突出部としての舌部２０とが形成されている。
また、札本体１７には一方面には印字面を有し、他方面には粘着剤（図示せず）が塗布され、台紙１８の剥離剤５が塗布された面に仮着され、長尺状の台紙１８の長手方向に連続的に複数仮着している。三条のミシン目１９，１９，１９は、長手方向に直交する方向に形成され、三つの表示面１７ａ、１７ｂ、１７ｃとひとつの重合面１７ｄとを有している。
また、舌部２０は、重合領域１７ｄに隣接する印字領域１７ｃに突出するように形成し、この舌部２０に貫通孔２１が形成されている。
【００２４】
このように構成した台紙１８に仮着した複数の商品札１６を前述のように印字装置に装填して印字領域１７ａ、１７ｂ、１７ｃに印字することができ、印字された商品札１６は台紙１８から剥離して印字された面を表面としてミシン目１９，１９，１９から折り曲げ、重合面１７ｄを表示面１７ａの裏面側に重ねることにより粘着剤（図示せず）により貼着し中空三角形状の商品札１６となる。
そして、必要に応じて貫通孔２１に糸を挿通して商品に結ぶことにより商品札１６として置かれることにより立体的な商品札１６ができるので、商品の情報が幅広い角度で認識することができる。
また、この商品札１６を縦方向に置くことにより二面の表示面を購買者に認識させることができるので、省スペースで多くの商品情報を幅広い方向から認識できる。
なお、この実施の形態において舌部２０に粘着剤を塗布しない、非粘着剤部分としてもよい。この場合には、商品札１６を商品に付された時に、露呈した粘着剤が不用意に他の物に貼着することがない。
また、商品札に対する印字は、縦方向印字または横方向印字の何れでもよく、またこれらを組合せしてもよい。
【００２５】
本発明の実施の形態では、長方形状の商品札で説明したが、円形、三角形、五角形など任意の形状とすることができる。また、商品札を所定の間隔をあけて台紙に仮着するようにしてもよい。
また、三つの表示面を略同一の表示面として説明したが、二面の表示面を広くすることにより、さらに表示する面を広くすることができる。
本発明の実施の形態で説明した図示しない印字装置は、サーマルヘッド、インクジェットやドラム式等印字方法は何れでもよく、また、札本体を感熱発色するサーマル紙にすることもできる。
【００２６】
【発明の効果】
以上説明したように本発明は、印字された商品情報が幅広い角度で購買者に認識させることができる。また、三つの表示面を有しているので、商品札を置く面を変えることにより、購買者に対する商品アピールの内容が異なる印字ができ、所定期間あるいは季節などにより変更することができ、新たに商品札を印字発行することがなく効率的である。
さらに、中空三角柱の商品札を鉛直方向に置くことにより二面の表示面を購買者に認識させることができるので、省スペースで多くの商品情報を幅広い方向から認識させることができる。
【図面の簡単な説明】
【図１】本発明の商品札の第一の実施の形態を示しした平面図である。
【図２】同上、図１のＩＩ―ＩＩ拡大断面図である。
【図３】同上、商品札の使用方法の説明図である。
【図４】同上、他の商品札の使用方法の説明図である。
【図５】同上、商品札の第二の実施の形態を説明する平面図である。
【図６】同上、商品札の第三の実施の形態を説明する平面図である。
【符号の説明】
１      商品札（第一の実施の形態）
１ａ    表示面
１ｂ    表示面
１ｃ    表示面
１ｄ    重合面
２      札本体
３      台紙
４      粘着剤
５      剥離材
６      ミシン目（折れ線）
７      貫通孔
１０      商品札
１１      商品札（第二の実施の形態）
１１ａ    表示面
１１ｂ    表示面
１１ｃ    表示面
１１ｄ    重合面
１６      商品札（第三の実施の形態）
２０      舌部
【図１】
2004151569.tif 000003
【図２】
2004151569.tif 000004
【図３】
2004151569.tif 000005
【図４】
2004151569.tif 000006
【図５】
2004151569.tif 000007
【図６】
2004151569.tif 000008